(57)【要約】【課題】  従来の接眼検知機能を有するカメラは個人の好みに応じて接眼検知の検知距離を変更することができないので、個人で使う場合はもちろんのこと、家族間での貸し借り、レンタル等複数の人間が一台のカメラを使うときなど、人によっては検知距離が固定されていることにわずらわしさを感じる。また、動きの速い被写体や遅い被写体、明所や暗所、ファインダーアクセサリーの使用等、撮影状況が変化することによっても要求される検知距離が異なると考えられる。【解決手段】  光学ファインダーと、表示器と撮影者が前記光学ファインダーを使用しているかどうかを検知する検知手段と、前記検知手段の検知結果に基づいて、前記表示器の点灯、消灯を制御する制御手段とを備えているカメラにおいて、前記撮影者を検知する検知手段の検知距離を前記撮影者の好み応じて設定できるように検知距離設定手段をカメラの表示装置に備る。【選択図】  図１
2007199183.tif 000002
【特許請求の範囲】
【請求項１】
光学ファインダーと、表示器と撮影者が前記光学ファインダーを使用しているかどうかを検知する検知手段と、
前記検知手段の検知結果に基づいて、前記表示器の点灯、消灯を制御する制御手段とを備えているカメラにおいて、
前記撮影者を検知する検知手段の検知距離を前記撮影者の好み応じて設定できるように検知距離設定手段を設けたことを特徴とするカメラの表示装置。
【請求項２】
前記設定手段はカメラ機能設定メニューであり，撮影者が任意の距離で設定操作を行うと検知距離が設定され，設定中に，設定状態を確認する手段を有することを特徴とする請求項１記載のカメラの表示装置。
【請求項３】
前記設定手段はカメラ機能設定メニューであり，撮影者が選択的に検知距離を設定し、設定中に，設定状態を確認する手段を有することを特徴とする請求項１記載のカメラの表示装置。
【請求項４】
前記設定中の設定状態を確認する報知手段は前記表示器であり前記検知手段の検知結果に基づいて点灯または消灯することを特徴とする請求項２から３記載のカメラの表示装置
【請求項５】
前記設定中の設定状態を確認する報知手段は発光体であり前記検知手段の検知結果に基づいて点灯または消灯することを特徴とする請求項２から３記載のカメラの表示装置。
【請求項６】
前記設定中の設定状態を確認する報知手段は音であり前記検知手段の検知結果に基づいてを変化させること特徴とする請求項２から３記載のカメラの表示装置。
【請求項７】
前記検知手段は被検物に向けて光線を投光する投光手段と反射光を受光し、光電変換する受光手段であり、検知距離変更手段は前記投光手段の発光光量制御手段であり、前記発光光量制御手段によって前記発光手段の発光輝度を変化させることによって前記検知距離を変更することを特徴とする請求項４から６記載のカメラの表示装置。
【請求項８】
前記検知手段は被検物に向けて光線を投光する投光手段と反射光を受光し、光電変換する受光手段であり、検知距離変更手段は前記受光手段の受光光量制御手段であり、前記受光光量制御手段によって前記受光手段の受光感度を変化させることによって前記検知距離を変更することを特徴とする請求項４から６記載のカメラの表示装置。
【請求項９】
前記検知手段は被検物に向けて光線を投光する投光手段と反射光を受光し、光電変換する受光手段であり、検知距離変更手段は判定手段の判定電流値を変化させることによって前記検知距離を変更することを特徴とする請求項４から６記載のカメラの表示装置。
【発明の詳細な説明】
【技術分野】
【０００１】
本発明はカメラ、特にファインダの接眼検知を有するカメラの表示装置に関する発明である。
【背景技術】
【０００２】
従来の接眼検知機能を有するカメラには特許文献１に記載されたものがある。光学ファインダー３１と、液晶表示部１０と、撮影者が光学ファインダー３１を使用しているかどうかを検知する接眼検知ユニットＳｅｙｅと、該接眼検知ユニットＳｅｙｅの出力に基づいて、前記液晶表示部１０のバックライト１６を点灯または消灯させる制御手段２１１とを備えている。これにより、検知結果に応じて液晶表示部１０のバックライト１６を自動的に点灯または消灯させるカメラの表示装置が提案されている。
【特許文献１】特開２０００−１６５７０５号公報
【発明の開示】
【発明が解決しようとする課題】
【０００３】
しかし、特許文献１記載の接眼検知手段の構成では、個人の好みに応じて接眼検知の検知距離を変更することができないので、個人で使う場合はもちろんのこと、家族間での貸し借り、レンタル等複数の人間が一台のカメラを使うときなど、人によっては検知距離が固定されていることにわずらわしさを感じる。また、動きの速い被写体や遅い被写体、明所や暗所、ファインダーアクセサリーの使用等、撮影状況が変化することによっても要求される検知距離が異なると考えられる。
【課題を解決するための手段】
【０００４】
本出願に係る発明の目的を実現する第１の構成は、光学ファインダーと、表示器と撮影者が前記光学ファインダーを使用しているかどうかを検知する検知手段と、
前記検知手段の検知結果に基づいて、前記表示器の点灯、消灯を制御する制御手段とを備えているカメラにおいて、
前記撮影者を検知する検知手段の検知距離を前記撮影者の好み応じて設定できるように検知距離設定手段をカメラの表示装置に備えている。
【０００５】
本出願に係る発明の目的を実現する第２の構成は、設定手段はカメラ機能設定メニューであり，撮影者が任意の距離で設定操作を行うと検知距離が設定され，設定中に，設定状態を確認する手段をカメラの表示装置に備えている。
【０００６】
本出願に係る発明の目的を実現する第３の構成は、前記設定手段はカメラ機能設定メニューであり，撮影者が選択的に検知距離を設定し、設定中に，設定状態を確認する手段をカメラの表示装置に備えている。
【０００７】
本出願に係る発明の目的を実現する第４の構成は、前記設定中の設定状態を確認する報知手段は前記表示器であり前記検知手段の検知結果に基づいて点灯または消灯する手段をカメラの表示装置に備えている。
【０００８】
本出願に係る発明の目的を実現する第５の構成は、前記設定中の設定状態を確認する報知手段は発光体であり前記検知手段の検知結果に基づいて点灯または消灯する手段をカメラの表示装置に備えている。
【０００９】
本出願に係る発明の目的を実現する第６の構成は、前記設定中の設定状態を確認する報知手段は音であり前記検知手段の検知結果に基づいて変化させる手段をカメラの表示装置に備えている。
【００１０】
本出願に係る発明の目的を実現する第７の構成は、前記検知手段は被検物に向けて光線を投光する投光手段と反射光を受光し、光電変換する受光手段であり、検知距離変更手段は前記投光手段の発光光量制御手段であり、前記発光光量制御手段によって前記発光手段の発光輝度を変化させることによって前記検知距離を変更する手段をカメラの表示装置に備えている。
【００１１】
本出願に係る発明の目的を実現する第８の構成は、前記検知手段は被検物に向けて光線を投光する投光手段と反射光を受光し、光電変換する受光手段であり、検知距離変更手段は前記受光手段の受光光量制御手段であり、前記受光光量制御手段によって前記受光手段の受光感度を変化させることによって前記検知距離を変更する手段をカメラの表示装置に備えている。
【００１２】
本出願に係る発明の目的を実現する第９の構成は、前記検知手段は被検物に向けて光線を投光する投光手段と反射光を受光し、光電変換する受光手段であり、検知距離変更手段は判定手段の判定電流値を変化させることによって前記検知距離を変更する手段をカメラの表示装置に備えている。
【発明の効果】
【００１３】
上記提案によって、以下の効果を得ることが可能となる。
【００１４】
本発明の請求項１によれば、撮影者を検知する検知手段の検知距離を前記撮影者の好み応じて変更可能になるので、接眼時の外部表示器の点灯、消灯距離を撮影者に合ったものに設定でき、撮影者にわずらわしい思いをさせることなくなる。
【００１５】
本発明の請求項２によれば、撮影者を検知する検知手段の検知距離を前記撮影者が任意に設定することが可能で、設定中に検知距離を容易に確認できるようにしたことで、撮影者が設定操作を簡単に行うことができ、わずらわしい思いをさせることがなくなる。
【００１６】
本発明の請求項３によれば、撮影者を検知する検知手段の検知距離を前記撮影者が選択的に設定することが可能で、設定中に検知距離を容易に確認できるようにしたことで、撮影者が設定操作を簡単に行うことができ、わずらわしい思いをさせることがなくなる。
【００１７】
本発明の請求項４によれば、設定中の設定状態を確認する報知手段は前記表示器であり前記検知手段の検知結果に基づいて点灯または消灯することにより、撮影者が設定した検知距離を容易に確認することができる。
【００１８】
本発明の請求項５によれば、設定中の設定状態を確認する報知手段は発光体であり前記検知手段の検知結果に基づいて点灯または消灯することにより、撮影者が設定した検知距離を容易に確認することができる。
【００１９】
本発明の請求項６によれば、設定中の設定状態を確認する報知手段は音であり前記検知手段の検知結果に基づいて音を変化させるにより、撮影者が設定した検知距離を容易に確認することができる。
【００２０】
本発明の請求項７によれば、検知手段は被検物に向けて光線を投光する投光手段と反射光を受光し、光電変換する受光手段であり、検知距離変更手段は前記投光手段の発光光量制御手段であり、前記発光光量制御手段によって前記発光手段の発光輝度を変化させることにより、制御回路を大掛かりにすることなく検知距離を容易に変更できる。
【００２１】
本発明の請求項８によれば、検知手段は被検物に向けて光線を投光する投光手段と反射光を受光し、光電変換する受光手段であり、検知距離変更手段は前記受光手段の受光光量制御手段であり、前記受光光量制御手段によって前記受光手段の受光感度を変化させることにより、制御回路を大掛かりにすることなく検知距離を容易に変更できる。
【００２２】
本発明の請求項９によれば、検知手段は被検物に向けて光線を投光する投光手段と反射光を受光し、光電変換する受光手段であり、検知距離変更手段は判定手段の判定電流値を変化させることによって前記検知距離を変更することにより、制御回路を大掛かりにすることなく検知距離を容易に変更できる。
【発明を実施するための最良の形態】
【００２３】
（実施例１）
本発明の実施例を示す各図に関してそれぞれ
図１は本発明の接顔検知のカスタマイズ第一例の制御動作の流れを示す図
図２は図１に示すカスタマイズ可能な接顔検知有するカメラの外観斜視図
図３は図１に示すカスタマイズ可能な接顔検知有するカメラの背面図
図４は図１に示すカスタマイズ可能な接顔検知有するカメラと撮影者の右側面図
図５は図１における接顔検知のカスタマイズ第一例の外部表示部とカメラと撮影者の状態を示す第一図（接顔検知設定メニューを選択した状態）
図６は図１における接顔検知のカスタマイズ第一例の外部表示部とカメラと撮影者の状態を示す第二図（任意距離X1で接顔検知距離を設定した直後）
図７は図１における接顔検知のカスタマイズ第一例の外部表示部とカメラと撮影者の状態を示す第三図（設定距離X1以上にカメラから顔を離した状態）
図８は図１における接顔検知のカスタマイズ第一例の外部表示部とカメラと撮影者の状態を示す第四図（接顔検知設定X1に顔を近づけたとき）
図示実施形態に係るカメラ１の接顔検知距離のカスタマイズの第１例の動作を、図１〜図８に示すフローチャート及びカメラ外観、外部表示と撮影者動作を参照して説明する。
【００２４】
カメラ１は、図２〜図４に示すように、カメラ本体２に回動動作によって着脱可能な撮影レンズ３が装着されている。カメラ１のグリップ部４の上部にはカメラ１の電源スイッチ５と、撮影状況に応じて撮影モードを変更するためのモードダイヤル６とが同軸上に配置されており、写真撮影を行うためのシャッターボタン７、撮影に関する選択・設定時にしようとする電子ダイヤル８が設けてある。
【００２５】
図３に示すように、カメラ上部には光学ファインダー１０が配設され、光学ファインダー１０の接眼レンズ１０ａの下側に接顔検知ユニット（不図示）の可視光カット用の接顔検知窓１１が設けられている。この接顔検知ユニットは接顔状態にあるかどうか、つまり、撮影者が前記光学ファインダー１０を使用しているかどうかを検知する検知手段として機能するものであり、一対の発光素子ＦａｃｅＳと受光素子ＦａｃｅＲを備えている。そして、発光素子ＦａｃｅＳが発光し、投光光が撮影者Ｐの顔Ｐａで反射した光が受光素子ＦａｃｅＲで受光されると、電流を発生しこの電流量によって受光レベルを知ることができる。
【００２６】
接顔検知窓１１の下側にはカメラ１の外部表示１２である液晶モニター（不図示）がカメラ内部に設けられ窓部材によって保護されており、撮影時のカメラ基本設定等の表示、再生時の撮影画像等を表示する。外部表示１２の左側には５連ボタン１３が縦一列に設けられており、上から、撮影や再生等様々なカメラ機能を設定変更するためのＭＥＮＵボタン１４、撮影中のカメラの設定状態を確認や再生中の撮影情報の表示を切り替えるためのＩＮＦＯ．ボタン１５、再生中に画像を飛ばして表示するためのＪＵＭＰボタン１６、撮影した画像を液晶モニターに表示するための再生ボタン１７、再生中の画像を消去するための消去ボタン１８の機能を有している。また、外部表示１２の窓部材の右側の複数の操作ボタンは、上から自分の好みの露出に合わせて撮影するための絞り数値／露出補正設定ボタン１９、単写、連写、リモコン操作の切り替えのためのドライブボタン２０、カメラ１とプリンタを接続し、印刷決定するイージープリントボタン２１の機能を有している。さらにその下には撮影に関する選択・設定、外部表示１２の表示内容の選択するための十字キー２２が有り、十字キー２２の上下左右にはそれぞれ、撮影時の光の敏感度を変更するためのＩＳＯ感度設定ボタン２２ａ、色温度を調整して、被写体に含まれる色の基準となる白を光源によって設定するためのホワイトバランス選択ボタン２２ｂ、評価、部分、中央部重点など、測光方式を変更するための測光モード選択ボタン２２ｃ、被写体の状態に応じてＡＦの作動特性を変更するためのＡＦモード選択ボタン２２ｄが割り当てられている．十字キー２２の中央にはカメラ機能を設定変更する際、内容を決定するための設定ボタン（ＳＥＴボタン）２２ｅが設けられている。その他、カメラ右上には、撮影時に露出を固定するＡＥロックボタン２３とピントを合わせるフレーム位置を変更するＡＦフレーム選択ボタン２４が横並びに配置されており、その下にはカメラ外部メモリを装填するための蓋部材が設けられている。
【００２７】
次に、図示実施形態に係るカメラ１の接顔検知距離のカスタマイズの動作を説明する。なお、以下の説明及び図面において、ステップをＳと略する。
【００２８】
まず、図２において、電源スイッチ５を投入すると、Ｓ１１１で、起動処理として各部の初期化を行う。このとき全体制御部（不図示）に接続されている不揮発性メモリ（不図示）に記憶されている情報は初期化しない。
【００２９】
次いで、Ｓ１１２にてＭＥＮＵボタン１４をＯＮし外部表示１２に撮影時のカメラ1の基本設定等表示する。Ｓ１１３からＳ１１４でＭＥＮＵ設定画面にて撮影タグ５０、顔検知距離設定５１を十字キー２２を用いて選択し、Ｓ１１５でＳＥＴボタン２２ｅをＯＮしＳ１１６で顔検知設定可能状態にする（図５参照）。この状態で撮影者Ｐがファインダー１０の接眼レンズ１０ａを覗きながらカメラに顔を近づけ、Ｓ１１７で好みの距離にてＳＥＴボタン２２ｅを押すと、Ｓ１１８で発光素子ＦａｃｅＳが発光し、投光光が撮影者Ｐの顔で反射しＳ１１９で受光素子ＦａｃｅＲで受光される、Ｓ１２０で得られた受光レベルをチェックし、予めカメラ１に設定された所定値よりも大きな受光レベルであれば（測定可能距離X0より検知距離X1が小さい場合）Ｓ１２１にて顔検知フラグを"1"にセットし、所定値よりをも小さな受光レベルであればＳ１２２に進んで顔検知フラグを"0"にセットして、その後はどちらもＳ１２３に進む、Ｓ１２２で"0"であればはＳ１２４で外部表示１２に『再設定をお願います』と表示しＳ１１７に戻り、"1"であればＳ１２５に進み不揮発性メモリ（不図示）に受光レベルを記憶して、Ｓ１２６で外部表示１２のバックライトをＯＦＦする（図６参照）。この状態で設定した状態を確認するには、でカメラから顔を離顔／接顔すればよく、Ｓ１２６の状態から撮影者がカメラから離顔するとＳ１２７で発光素子ＦａｃｅＳからの投光光の反射光の受光レベル（検知距離Ｘ）を設定した受光レベル（検知距離Ｘ1）と比較して、もし受光レベルが設定値より大きければＳ１２６に戻って外部表示１２のバックライトをＯＦＦしたままとし、設定値よりをも小さな受光レベルであればＳ１２８に進んで外部表示１２のバックライトをＯＮしＳ１２９で外部表示１２に『再設定しますか』と表示する（図７参照）。そしてＳ１３０で再設定が必要な場合カメラに顔を近づけＳＥＴボタン２２eをＯＮするとＳ１２０に戻って再設定することができ、必要なけばＳ１３１に進んで、ＭＥＮＵボタン１４をＯＮすることで接顔検知距離のカスタマイズ設定を終了する。このとき、ＭＥＮＵボタン１４がＯＮされるまで受光レベル判定を行い、カメラ１のファインダー１０に接眼して外部表示１２のＯＮ／ＯＦＦの切り替りを確認することができる（図７、８参照）。以上のフローにおいて、不図示のカメラの動作を電子制御するマイクロコンピュータによって撮影者の接顔状態の判定を行う。
（実施例２）
本発明の実施例を示す各図に関してそれぞれ
図９は本発明の接顔検知のカスタマイズ第二例の制御動作の流れを示す図
図１０は図９における接顔検知のカスタマイズ第二例の外部表示部とカメラと撮影者の状態を示す第一図（接顔検知設定メニューを選択した状態）
図１１は図９における接顔検知のカスタマイズ第二例の外部表示部とカメラと撮影者の状態を示す第二図（選択距離20mmで接顔検知距離を選択した直後）
図１２は図９における接顔検知のカスタマイズ第二例の外部表示部とカメラと撮影者の状態を示す第二図（選択距離20mmに顔を近づけた状態）
図１３は図９における接顔検知のカスタマイズ第二例の外部表示部とカメラと撮影者の状態を示す第二図（選択距離20mm以上にカメラから顔を離した状態）
図示実施形態に係るカメラ１の接顔検知距離のカスタマイズの第２例の動作を、図９〜図１３に示すフローチャート及び外部表示、撮影者動作を参照して説明する。なお、以下の説明及び図面において、ステップをＳと略する。
【００３０】
まず、図２において、電源スイッチ５を投入すると、Ｓ１５０で、起動処理として各部の初期化を行う。このとき全体制御部（不図示）に接続されている不揮発性メモリ（不図示）に記憶されている情報は初期化しない。
【００３１】
次いで、Ｓ１５１にてＭＥＮＵボタン１４をＯＮし外部表示１２に撮影時のカメラ１の基本設定等を表示する。Ｓ１５２からＳ１５４でＭＥＮＵ設定画面にて撮影タグ５５、顔検知距離５６（５７）を十字キー２２を用いて選択し（図１０、１１参照、図中検知距離を３０ｍｍから２０ｍｍに変更）、Ｓ１５５でＳＥＴボタン２２ｅをＯＮすると、Ｓ１５６で受光素子ＦａｃｅＲの受光感度レベルが選択距離に応じて変化する。この状態から撮影者Ｐがカメラ１に接顔すると、Ｓ１５７で発光素子ＦａｃｅＳからの投光光の反射光の受光レベル（Ｓ１５８）とＳ１５６で設定した受光レベルとを比較して（Ｓ１５９）、もし受光レベルが設定値より大きければＳ１６０に進んで外部表示１２のバックライトはＯＦＦのままとしてＳ１５９に戻り（図１２参照）、設定値よりをも小さな受光レベルであればＳ１６１に進んで外部表示１２のバックライトをＯＮする（図１３参照）。Ｓ１６２で再設定する場合Ｓ１５５に戻り、必要なけばＳ１６３に進んで、再度、受光レベルが設定値以上あるか確認し、ＭＥＮＵボタン１４をＯＮすることで接顔検知距離のカスタマイズ設定を終了する。このとき、ＭＥＮＵボタン１４がＯＮされるまで受光レベル判定を行い、カメラ１のファインダー１０に接眼して外部表示１２のＯＮ／ＯＦＦの切り替りを確認することができる。以上のフローにおいて、不図示のカメラ１の動作を電子制御するマイクロコンピュータによって撮影者Ｐの接顔状態の判定を行う。
【００３２】
（実施例３）
図１４は本発明の接顔検知のカスタマイズ第三例の制御動作の流れを示す図
図１５は図１４における接顔検知のカスタマイズ第三例の外部表示部とカメラと撮影者の状態を示す第一図（接顔検知設定メニューを選択した状態）
図１６は図１４における接顔検知のカスタマイズ第三例の外部表示部とカメラと撮影者の状態を示す第二図（任意距離X1で接顔検知距離を設定した直後）
図１７は図１４における接顔検知のカスタマイズ第三例の外部表示部とカメラと撮影者の状態を示す第三図（設定距離X1以上にカメラから顔を離し、離顔検知設定メニューを表示した状態）
図１８は図１４における接顔検知のカスタマイズ第三例の外部表示部とカメラと撮影者の状態を示す第四図（離顔検知設定メニュー選択した直後）
図１９は図１４における接顔検知のカスタマイズ第三例の外部表示部とカメラと撮影者の状態を示す第四図（任意距離X2で離顔検知距離を設定した直後）
図示実施形態に係るカメラ１の接顔検知距離のカスタマイズの第３例の動作を、図１４〜図１９に示すフローチャート及び外部表示、撮影者動作を参照して説明する。なお、以下の説明及び図面において、ステップをＳと略する。
【００３３】
まず、図２において、電源スイッチ５を投入すると、Ｓ１７０で、起動処理として各部の初期化を行う。このとき全体制御部（不図示）に接続されている不揮発性メモリ（不図示）に記憶されている情報は初期化しない。
【００３４】
次いで、Ｓ１７１にてＭＥＮＵボタン１４をＯＮし外部表示１２に撮影時のカメラ１の基本設定等を表示する。Ｓ１７２からＳ１７３でＭＥＮＵ設定画面にて撮影タグ６０選び、Ｓ１７４で顔検知距離から接顔／離顔（６１）十字キー２２を用いて選択して、Ｓ１７５でＳＥＴボタン２２ｅをＯＮし顔検知設定可能状態にする（Ｓ１７６）（図１５参照）。この状態で撮影者Ｐがファインダー１０の接眼レンズ１０ａを覗きながらカメラ1に顔を近づけ、Ｓ１７７で好みの距離にてＳＥＴボタン２２ｅを押すと（図１６参照）、発光素子ＦａｃｅＳが発光し（Ｓ１７８）、投光光が撮影者Ｐの顔で反射し受光素子ＦａｃｅＲで受光される（Ｓ１７９）、Ｓ１８０で得られた受光レベルをチェックし、予めカメラ１に設定された所定値よりも大きな受光レベル（測定可能距離X0より検知距離X1が小さい場合）であればＳ１８１にて顔検知フラグを"1"にセットし、所定値よりをも小さな受光レベルであればＳ１８２に進んで顔検知フラグを"0"にセットして、その後はどちらもＳ１８３に進む、Ｓ１８４で"0"であればは外部表示１２に『再設定をお願います』と表示しＳ１７７に戻り、"1"であればＳ１８５に進み不揮発性メモリ（不図示）に受光レベルＬ1を記録して、外部表示１２のバックライトをＯＦＦする（Ｓ１８６）。この状態でカメラ１から顔を離顔（接顔）すると、発光素子ＦａｃｅＳからの投光光の反射光の受光レベルを先に設定した受光レベルと比較して（Ｓ１８７）、もし受光レベルが設定値より大きければＳ１８６に戻って外部表示１２のバックライトをＯＦＦしたままとし、設定値よりをも小さな受光レベルであればＳ１８８に進んで外部表示１２のバックライトをＯＮし外部表示１２に『再設定しますか』と表示する（Ｓ１８９）。そしてＳ１９０で再設定が必要な場合Ｓ１７７に戻って再設定することができ、必要なけば、Ｓ１９１に進んで離顔時の受光レベルＬ２が記憶されているか確認し、もし受光レベルＬ２がすでに記憶されていたらＳ２０３に進み、ＭＥＮＵボタン１４をＯＮすることで接顔検知距離のカスタマイズ設定を終了することができる。Ｌ2が記憶されていなければ、Ｓ２００にすすんで、『離顔設定しますか？』と表示する。そしてＳ２０１で離顔設定する場合、Ｓ２０４でＳＥＴボタン２２ｅを押すと外部表示１２のバックライトが消え『離顔検知距離？』と表示し離顔検知距離設定状態（Ｓ２０５、２０６）となる（図１８参照、図１７はＳ１７４、２０１にて離顔設定を選択した状態）。この状態で撮影者Ｐがファインダー１０の接眼レンズ１０ａを覗きながらカメラ1に顔を近づけ（遠ざけ）、Ｓ２０７で好みの距離にてＳＥＴボタン２２ｅを押すと、発光素子ＦａｃｅＳが発光し（Ｓ２０８）、投光光が撮影者Ｐの顔で反射し受光素子ＦａｃｅＲで受光される（Ｓ２０９）、Ｓ２１０で得られた受光レベルをチェックし、予め設定した所定値よりも大きな受光レベルであればＳ２１１にて顔検知フラグを"1"にセットし、所定値よりをも小さな受光レベルであれば（測定可能距離X0より検知距離X2が小さい場合）Ｓ２１２に進んで顔検知フラグを"0"にセットして、その後はどちらもＳ２１３に進む、Ｓ２１４で顔検知フラグが"0"であれば外部表示１２に『再設定をお願います』と表示しＳ２０７に戻り、"1"であればＳ２１５に進み不揮発性メモリ（不図示）に受光レベルを記録して、外部表示１２のバックライトをＯＮする（Ｓ２１６）。
【００３５】
以降、接顔時の設定と同様に、再設定の要求、接顔時の受光レベルＬ1の確認を行い、ＭＥＮＵボタン１４を押して接顔／離顔設定が完了する。このときＭＥＮＵボタン１４が押されるまで、カメラ１に接顔／離顔することで設定した顔検知の状態を確認することができる（図１６、１９参照）
以上のフローにおいて、不図示のカメラ１の動作を電子制御するマイクロコンピュータによって撮影者の接顔・離顔状態の判定を行う。
【００３６】
（実施例４）
本発明の実施例を示す各図に関してそれぞれ
図２０は本発明の接顔検知のカスタマイズ第四例の制御動作の流れを示す図
図２１は図２０における接顔検知のカスタマイズ第四例の外部表示部とカメラと撮影者の状態を示す第一図（接顔検知設定メニューを選択した状態）
図２２は図２０における接顔検知のカスタマイズ第四例の外部表示部とカメラと撮影者の状態を示す第二図（接顔検知距離30mmが選択されている状態）
図２３は図２０における接顔検知のカスタマイズ第四例の外部表示部とカメラと撮影者の状態を示す第二図（接顔検知距離を20mmに変更した状態）
図２４は図２０における接顔検知のカスタマイズ第四例の外部表示部とカメラと撮影者の状態を示す第二図（接顔検知距離20mmに顔を近づけた状態）
図２５は図２０における接顔検知のカスタマイズ第四例の外部表示部とカメラと撮影者の状態を示す第二図（離顔検知距離を30mmが選択されている状態）
図２６は図２０における接顔検知のカスタマイズ第四例の外部表示部とカメラと撮影者の状態を示す第二図（離顔検知距離に40mmに変更した状態）
図２７は図２０における接顔検知のカスタマイズ第四例の外部表示部とカメラと撮影者の状態を示す第二図（確認動作で接顔検知距離20mmに顔を近づけた状態）
図２８は図２０における接顔検知のカスタマイズ第四例の外部表示部とカメラと撮影者の状態を示す第二図（確認動作で接顔検知距離40mmに顔を離した状態）
図示実施形態に係るカメラ１の接顔検知距離のカスタマイズの第３例の動作を、図２０〜図２８に示すフローチャート及び外部表示、撮影者動作を参照して説明する。なお、以下の説明及び図面において、ステップをＳと略する。
【００３７】
まず、図２において、電源スイッチ５を投入すると、Ｓ２５０で、起動処理として各部の初期化を行う。このとき全体制御部（不図示）に接続されている不揮発性メモリ（不図示）に記憶されている情報は初期化しない。
【００３８】
次いで、Ｓ２５１にてＭＥＮＵボタン１４をＯＮし外部表示１２に撮影時のカメラ１の基本設定等を表示する。Ｓ２５２からＳ２５３でＭＥＮＵ設定画面にて撮影タグ６５内のＦＤＳ検知距離設定項目から接顔か離顔の設定（６７６）を十字キー２２を用いて選んで、接顔を選択（接顔検知距離を変更したい場合）してＳ２５７でＳＥＴボタン２２ｅをＯＮする．すると，顔検知距離が表示されるので，Ｓ２５８で好みの距離を十字キー２２を用いて選択し（図２２から図２３）、Ｓ２５９でＳＥＴボタン２２ｅをＯＮすると、受光素子ＦａｃｅＲの受光感度レベルが選択距離に応じて変更される（Ｓ２６０）。Ｓ２６１で発光素子ＦａｃｅＳが発光し、投光光が撮影者Ｐの顔で反射し受光素子ＦａｃｅＲで受光される（Ｓ２６２）。この状態で接顔すると発光素子ＦａｃｅＳからの投光光の反射光の受光レベルと先に設定した受光レベルとを比較して（Ｓ２６３）、もし受光レベルが設定値より大きければＳ２６４に進んで外部表示１２のバックライトはＯＦＦして（図２４）Ｓ２６３に戻る。また設定値よりをも小さな受光レベルであればＳ２６５に進んで外部表示１２のバックライトをＯＮする（図２３）。Ｓ２６６で検知距離を再設定する場合にはＳ２５９に戻り、必要なけばＳ２６７に進み、検知設定全体の変更が必要ならばＳ２５４に戻り、必要なければＳ２６８進む。ここで、ＭＥＮＵボタン１４をＯＮすることで接顔検知距離のカスタマイズ設定を終了するが，ＭＥＮＵボタンをＯＮしなければ，距離変更が可能な状態（Ｓ２５８の検知距離を表示状態）で受光レベル判定を行い、外部表示１２のＯＮ／ＯＦＦの切り替りを確認することができる。
【００３９】
また，離顔距離設定も接顔距離設定と同様に図２０のＳ２５５以降のステップに従って設定可能であり，距離変更が可能な状態で外部表示１２のＯＮ／ＯＦＦの切り替えを確認することができる．（図２５から図２８）
以上のフローにおいて、不図示のカメラ１の動作を電子制御するマイクロコンピュータによって撮影者の接顔状態の判定を行う。
【００４０】
以上のような構成の他に、カメラ電池投入後の初期設定（日付設定等）において顔検知距離設定メニューが外部表示１２に表示され、上記実施例１から４のような、任意もしくは選択的に顔検知距離を設定するようにしても良い。
【００４１】
また、実施例で説明した報知手段は、視覚的な表示に基づく手段としたが、これに限定されることはなく、ブザーや音声発生手段、ＬＥＤ等の発光手段を採用しても良く、検知距離選択にＳＥＴボタン２２ｅを用いたが、レリーズボタン７等カメラ１の操作部材であれば操作上困難にならなければ何であっても構わない。
【図面の簡単な説明】
【００４２】
【図１】本発明の接顔検知のカスタマイズ第一例の制御動作の流れを示す図
【図２】図１に示すカスタマイズ可能な接顔検知有するカメラの外観斜視図
【図３】図１に示すカスタマイズ可能な接顔検知有するカメラの背面図
【図４】図１に示すカスタマイズ可能な接顔検知有するカメラと撮影者の右側面図
【図５】図１における接顔検知のカスタマイズ第一例の外部表示部とカメラと撮影者の状態を示す第一図（接顔検知設定メニューを選択した状態）
【図６】図１における接顔検知のカスタマイズ第一例の外部表示部とカメラと撮影者の状態を示す第二図（任意距離X1で接顔検知距離を設定した直後）
【図７】図１における接顔検知のカスタマイズ第一例の外部表示部とカメラと撮影者の状態を示す第三図（設定距離X1以上にカメラから顔を離した状態）
【図８】図１における接顔検知のカスタマイズ第一例の外部表示部とカメラと撮影者の状態を示す第四図（接顔検知設定X1に顔を近づけたとき）
【図９】本発明の接顔検知のカスタマイズ第二例の制御動作の流れを示す図
【図１０】図９における接顔検知のカスタマイズ第二例の外部表示部とカメラと撮影者の状態を示す第一図（接顔検知設定メニューを選択した状態）
【図１１】図９における接顔検知のカスタマイズ第二例の外部表示部とカメラと撮影者の状態を示す第二図（選択距離20mmで接顔検知距離を選択した直後）
【図１２】図９における接顔検知のカスタマイズ第二例の外部表示部とカメラと撮影者の状態を示す第二図（選択距離20mmに顔を近づけた状態）
【図１３】図９における接顔検知のカスタマイズ第二例の外部表示部とカメラと撮影者の状態を示す第二図（選択距離20mm以上にカメラから顔を離した状態）
【図１４】本発明の接顔検知のカスタマイズ第三例の制御動作の流れを示す図
【図１５】図１４における接顔検知のカスタマイズ第三例の外部表示部とカメラと撮影者の状態を示す第一図（接顔検知設定メニューを選択した状態）
【図１６】図１４における接顔検知のカスタマイズ第三例の外部表示部とカメラと撮影者の状態を示す第二図（任意距離X1で接顔検知距離を設定した直後）
【図１７】図１４における接顔検知のカスタマイズ第三例の外部表示部とカメラと撮影者の状態を示す第三図（設定距離X1以上にカメラから顔を離し、離顔検知設定メニューを表示した状態）
【図１８】図１４における接顔検知のカスタマイズ第三例の外部表示部とカメラと撮影者の状態を示す第四図（離顔検知設定メニュー選択した直後）
【図１９】図１４における接顔検知のカスタマイズ第三例の外部表示部とカメラと撮影者の状態を示す第四図（任意距離X2で離顔検知距離を設定した直後）
【図２０】本発明の接顔検知のカスタマイズ第四例の制御動作の流れを示す図
【図２１】図２０における接顔検知のカスタマイズ第四例の外部表示部とカメラと撮影者の状態を示す第一図（接顔検知設定メニューを選択した状態）
【図２２】図２０における接顔検知のカスタマイズ第四例の外部表示部とカメラと撮影者の状態を示す第二図（接顔検知距離30mmが選択されている状態）
【図２３】図２０における接顔検知のカスタマイズ第四例の外部表示部とカメラと撮影者の状態を示す第二図（接顔検知距離を20mmに変更した状態）
【図２４】図２０における接顔検知のカスタマイズ第四例の外部表示部とカメラと撮影者の状態を示す第二図（接顔検知距離20mmに顔を近づけた状態）
【図２５】図２０における接顔検知のカスタマイズ第四例の外部表示部とカメラと撮影者の状態を示す第二図（離顔検知距離を30mmが選択されている状態）
【図２６】図２０における接顔検知のカスタマイズ第四例の外部表示部とカメラと撮影者の状態を示す第二図（離顔検知距離に40mmに変更した状態）
【図２７】図２０における接顔検知のカスタマイズ第四例の外部表示部とカメラと撮影者の状態を示す第二図（確認動作で接顔検知距離20mmに顔を近づけた状態）
【図２８】図２０における接顔検知のカスタマイズ第四例の外部表示部とカメラと撮影者の状態を示す第二図（確認動作で接顔検知距離40mmに顔を離した状態）
【符号の説明】
【００４３】
１  カメラ
５  電源スイッチ
１０  ファインダ
１１  接顔検知窓
１２  外部表示
１４  ＭＥＮＵボタン
２２  十字キー
２２ａ  ＳＥＴボタン
Ｐ  撮影者
【図１】
2007199183.tif 000003
【図２】
2007199183.tif 000004
【図３】
2007199183.tif 000005
【図４】
2007199183.tif 000006
【図５】
2007199183.tif 000007
【図６】
2007199183.tif 000008
【図７】
2007199183.tif 000009
【図８】
2007199183.tif 000010
【図９】
2007199183.tif 000011
【図１０】
2007199183.tif 000012
【図１１】
2007199183.tif 000013
【図１２】
2007199183.tif 000014
【図１３】
2007199183.tif 000015
【図１４】
2007199183.tif 000016
【図１５】
2007199183.tif 000017
【図１６】
2007199183.tif 000018
【図１７】
2007199183.tif 000019
【図１８】
2007199183.tif 000020
【図１９】
2007199183.tif 000021
【図２０】
2007199183.tif 000022
【図２１】
2007199183.tif 000023
【図２２】
2007199183.tif 000024
【図２３】
2007199183.tif 000025
【図２４】
2007199183.tif 000026
【図２５】
2007199183.tif 000027
【図２６】
2007199183.tif 000028
【図２７】
2007199183.tif 000029
【図２８】
2007199183.tif 000030